(57)【要約】【課題】仮に応力腐食割れが発生したとしても、導体の断線といった不測の事態が起きないように、事前に応力腐食割れの発生を予知し、大きな事故が起こる前に架空絶縁電線の解体修理あるいは張り替えのできる検知用光ファイバー入りの架空絶縁電線を提供する。【解決手段】硬銅線を複数本撚り合わせてなる導体と、該導体の外層に撚り合わせられその断面積が前記硬銅線の断面積より小さい少なくとも一本の中空硬銅線と、前記導体及び前記中空硬銅線の外方に設けられた絶縁プラスチックからなる被覆とを有し、前記中空硬銅線の中空部には光ファイバーが配置されていることを特徴とする架空絶縁電線。【選択図】　図１
2004127684.tif 000002
【特許請求の範囲】
【請求項１】
硬銅線を複数本撚り合わせてなる導体と、該導体の外層に撚り合わせられその断面積が前記硬銅線の断面積より小さい少なくとも一本の中空硬銅線と、前記導体及び前記中空硬銅線の外方に設けられた絶縁プラスチックからなる被覆とを有し、前記中空硬銅線の中空部には光ファイバーが配置されていることを特徴とする架空絶縁電線。
【請求項２】
前記中空硬銅線の外径は前記硬銅線の外径より小さいことを特徴とする請求項１記載の架空絶縁電線。
【発明の詳細な説明】
【０００１】
【発明の属する技術分野】
本発明は、硬銅線を複数本撚り合わせて構成した導体に絶縁プラスチック製の被覆を施してなる架空絶縁電線に関するものであって、より詳細には前記硬銅線の応力腐食割れを事前に検知できる架空絶縁電線に関するものである。
【０００２】
【従来の技術】
従来、一般的に使用されている架空絶縁電線は、硬銅線を複数本撚り合わせてなる導体の外側に、ポリエチレン等からなるプラスチック絶縁被覆を設けた構造になっている。
このような架空絶縁電線を長期間使用していると、電線の接続部等からこの絶縁電線内部に、例えば雨水が浸入し、導体を構成している硬銅線に応力腐食割れが発生し、硬銅線の断線事故が発生することがある。
そこで従来から、例えば雨水が絶縁電線内に浸入しないように導体間隙に水密コンパウンドを充填して水密構造にする（特許文献１）、といったものが提案されている。
【０００３】
【特許文献１】実開昭５２−５３９８２号
【０００４】
【発明が解決しようとする課題】
しかしながら、絶縁電線に水密コンパウンドを充填した場合は、該絶縁電線の接続作業や解体作業を行う際、水密コンパウンドを除去しなければならないが、この水密コンパウンドが周囲に飛び散り、作業環境を汚す、あるいは手にべたつく等して作業性を劣化させる、という問題がある。
これまでのところ硬銅線の応力腐食割れを防止し、かつ絶縁電線の接続作業や解体作業時の問題点、すなわち環境劣化問題や作業性劣化の問題を解決したものは得られていないのが現状である。
【０００５】
本発明は前記現状に鑑みてなされたもので、その目的とするところは、硬銅線の応力腐食割れは直接的には防止できないが、次善の策として、もし硬銅線に応力腐食割れが発生したとしても、断線といった不測の事態が起きないように、事前に硬銅線の応力腐食割れの発生を予知し、大きな事故が起こる前に架空絶縁電線の解体修理あるいは張り替えのできる検知用光ファイバー入りの架空絶縁電線を提供することにある。
【０００６】
【課題を解決するための手段】
そこで前記目的を達成すべく請求項１記載の本発明の架空絶縁電線は、硬銅線を複数本撚り合わせてなる導体と、該導体の外層に撚り合わせられその断面積が前記硬銅線の断面積より小さい少なくとも一本の中空硬銅線と、前記導体及び前記中空硬銅線の外方に設けられた絶縁プラスチックからなる被覆とを有し、前記中空硬銅線の中空部には光ファイバーが配置されていることを特徴とするものである。
このように導体の外層に、その断面積が前記硬銅線の断面積より小さい少なくとも一本の中空硬銅線を撚り合わせ、かつこの中空硬銅線の中空部に光ファイバーを挿入しておけば、仮に架空絶縁電線の接続部等から内部に雨水等水分が浸入したとしても、その断面積が導体を構成する硬銅線よりも小さく、しかも導体外周部にあって浸入水の影響を最も受け易い位置に配置された中空硬銅線から先に応力腐食割れが進行する。
【０００７】
よって、導体の硬銅線より先に中空硬銅線が応力腐食割れを起こし、その結果中空硬銅線内の光ファイバーが引っ張られ伝送損失増加を起こす。これを光ファイバー端末に接続されたモニターから常時監視していれば、中空硬銅線の応力腐食割れが検知できる。そしてこのように中空硬銅線の応力腐食割れを知ることが出来れば、硬銅線への応力腐食割れの進行度が推測されるので、断線が起こる前にこの架空絶縁電線の修理や張り替えを行うことができる。
【０００８】
また請求項２記載の本発明の架空絶縁電線は、請求項１記載の架空絶縁電線において、前記中空硬銅線の外径を前記硬銅線の外径より小さくしたことに特徴がある。
このように中空硬銅線の外径を硬銅線の外径より小さくしておけば、より確実に中空硬銅線側が導体を構成する硬銅線よりも先に応力腐食割れを起こし、導体側硬銅線の応力腐食割れの進行度をより確実に事前に推測できる。
【０００９】
【発明の実施の形態】
図１は本発明の架空絶縁電線の一実施例を示す横断面図である。この実施例にあっては、硬銅線１を複数本撚り合わせて導体２を形成したものに、外径が前記硬銅線１の外径より小さい中空硬銅線３を撚り合わせ、しかる後この導体２及び中空硬銅線３の外側に、ポリエチレン等の絶縁プラスチックからなる被覆５を押出し被覆したものである。
なお図１では中空硬銅線３内には光ファイバー４が１本挿入されているが、複数本であってもなんら問題はない。また光ファイバー４は中空硬銅線３の製造時に挿入してもよいし、導体２に空の中空硬銅線３を撚り合わせ、これに被覆５を被せた後、例えば空気圧送法で挿入するなどしてもよい。
【００１０】
このようにしてなる本発明の架空絶縁電線では、硬銅線１の応力腐食割れの進行を直接的には防止できないが、硬銅線１が応力腐食割れを起こし断線を起こす前に、硬銅線１の断面積より小さい、好ましくはその外径も小さい中空硬銅線３が先に応力腐食割れを起こし断線する。その結果、中空硬銅線３内に挿入されている光ファイバー４に大きな引張り応力が作用し、光ファイバー４の伝送損失が増加する。これを外部からモニターしていれば、硬銅線１が応力腐食割れを起こして導体の断線事故が発生する前に、硬銅線１の応力腐食割れ進行度を察知でき、適切な時期に架空絶縁電線の修理や取替えが可能になる。すなわち架空絶縁電線の断線事故等の大きな事故を未然に防ぐことが可能になる。
【００１１】
【実施例】
以下に本発明の具体的実施例を、図１を参照しながら詳細に説明する。
素線径２．３ｍｍの硬銅線１を１９本撚り合わせて断面積８０ｍｍ２の導体２を製造した。この導体２の製造時に外径１．０ｍｍ、内径０．６ｍｍの中空硬銅線３を図１のように導体２の最外層にある硬銅線１の硬銅線肩部に同時に撚り込んだ。しかる後ポリエチレンからなる被覆５を押出し被覆しこれを架橋し、約３００ｍの長さの架空絶縁電線を製造した。最後に空気圧送法（空気圧７〜１０Ｋｇ／ｃｍ２　）により前記中空硬銅線３内に光ファイバー４を１本通線した。
ところで図１が示すように、ほぼ円形の導体２に中空硬銅線３を撚り合わせたため、被覆５を施すと、中空硬銅線３の挿入位置が電線長手方向に延びるらせん状の突起として架空絶縁電線の外表面に現れる。しかしながら、むしろこの突起により、本発明の架空絶縁電線には低風圧効果や耐雪効果が生じて好ましい。
【００１２】
なお、この実施例では中空硬銅線３を１本しか使用していないが、例えば導体２の中心に対して１８０度離れた位置にもう１本中空硬銅線３を配置せしめる等中空硬銅線３を複数本用いてもよい。
この場合、前述した中空硬銅線３により被覆５表面に生ずるらせん状の突起は２本あるいは複数本できることになり、この場合も前述した低風圧効果や耐雪効果が期待できる。
また、光ファイバー４の伝送損失の測定も常時モニターする方法ではなく定期的に測定する方法でもよい。
また、この実施例では中空硬銅線３の外径を硬銅線１のそれより小さくして、断面積も外径も硬銅線１のそれより小さくしたものを用いているが、単に、断面積のみ小さい中空硬銅線３を用いるだけでも本発明の効果は享受できる。
【００１３】
このようにしてなる本発明の架空絶縁電線によれば、硬銅線１が応力腐食割れにより断線する前に、硬銅線１よりその断面積の小さい中空硬銅線３の方が先に応力腐食割れにより断線するから、その際中空硬銅線３内部に配置せしめた光ファイバー４の伝送損失が急激に増加することになる。それ故、光ファイバー４の伝送損失を定期的に、あるいは常時監視していれば中空硬銅線３の断線を知ることができ、もって導体２を構成する硬銅線１の応力腐食割れの進行度を推定できる。
このように本発明の架空絶縁電線にあっては、硬銅線１が応力腐食割れにより断線という大きな事故を起こす前に、この架空絶縁電線の修理や取替え作業をその時期を失することなく適切に施すことができる。
【００１４】
本発明の架空絶縁電線の効果を確認するため以下の実験を行った。
前述した本発明の一実施例の架空絶縁電線をスパン長約３０ｍの模擬電柱に架線して所定の張力を負荷した。この状態でスパン中央部の被覆５を１ｍに亘って剥ぎ取り、導体２を露出させた。しかる後露出させたこの導体２を、１Ｎ（１規定）のＮＨ４ＯＨ（水酸化アンモニウム）と２ＮのＨ２ＳＯ４　（硫酸）とを加えた溶液を入れた硬質ビニル密閉容器に浸漬し、この状態で導体２に通電し、ヒートサイクル試験（２０度〜８０度間での繰り返し）を行った。約３ヶ月後に光ファイバー４の伝送損失増加が見られたので、この架空絶縁電線を電柱から撤去して解体し、硬銅線１及び中空硬銅線３の応力腐食状態を評価した。
【００１５】
その結果、中空硬銅線３とこれの近傍に位置する硬銅線１に応力腐食割れが発見された。ここで中空硬銅線３は応力腐食割れで断線していたが、硬銅線１の方は断線するまでには至っていなかった。
このように本発明の架空絶縁電線によれば、導体２を構成する硬銅線１が応力腐食割れで断線する前に光ファイバー４入りの中空硬銅線３の断線及び光ファイバー４の伝送損失増加により、硬銅線１側の応力腐食割れの進行度を検知でき、もって硬銅線１が断線する前に架空絶縁電線の修理あるいは取り替え等適切な処理ができることが確認された。
【００１６】
【発明の効果】
前述したように本発明の請求項１記載の架空絶縁電線によれば、硬銅線よりその断面積が小さい中空硬銅線が先に応力腐食割れによる断線を起こす。このことを中空硬銅線内部に収納した光ファイバーの伝送損失の増加という形で硬銅線の応力腐食割れによる断線が起こる前に検知することができる。よって適切な時期に架空絶縁電線の修理あるいは取り替え（張り替え）が可能となり、断線事故といった大きな事故を未然に防止することができる。
また本発明の請求項２記載の架空絶縁電線によれば、中空硬銅線の外径を硬銅線のそれより小さくしているため、より確実に硬銅線が応力腐食割れで断線する前に中空硬銅線側が応力腐食割れで断線する。よって硬銅線が応力腐食割れで断線事故を起こす前に、より確実にその応力腐食割れ進行度を検知でき、架空絶縁電線の修理、取り替えが可能になる。
【図面の簡単な説明】
【図１】本発明の架空絶縁電線の一実施例を示す横断面図である。
【符号の説明】
１　硬銅線
２　導体
３　中空硬銅線
４　光ファイバー
５　被覆
【図１】
2004127684.tif 000003